(57)【要約】【課題】シート状の表面材や裏打ち材に、従来の汎用的な壁紙と同様の材料を困難なく採用することが可能であり、施工方法や施工手順も従来の壁紙と同様に行うことができるものでありながら、小物入れやラックといった調度品などを取り付けるのに、接着剤を使用したり、ネジ止めや釘止めなどによる必要のない磁着型壁紙を提供する。【解決手段】シート状の表面材１及び裏打ち材３と、それらの相互間に介在された着磁性を有する中間シート材２との可撓性を有する３層積層体でなる。３層積層体は切断可能で、裏打ち材３が下地面に接着糊で接合されるようになっている。【選択図】        図２
0003170964.tif 000002
【実用新案登録請求の範囲】
【請求項１】
シート状の表面材及び裏打ち材と、それらの相互間に介在された着磁性を有する中間シート材と、が互いに接合された可撓性を有する３層積層体でなり、その３層積層体が切断可能で、かつ、上記裏打ち材が、壁面やボードなどでなる下地面に接着糊で接合されるようになっていることを特徴とする磁着型壁紙。
【請求項２】
上記中間シート材は、樹脂シート又はゴムシートのシート層中に着磁性を有する金属粉を含ませてなる請求項１に記載した磁着型壁紙。
【考案の詳細な説明】
【技術分野】
【０００１】
本考案は、磁着型壁紙、特に、一般的なシート状の表面材及び裏打ち材とでなる壁紙と同様の方法で壁面やその他の下地面に施工が可能な磁着型壁紙に関する。
【背景技術】
【０００２】
従来、建物の壁面に貼り付けて施工される汎用的な壁紙は、シート状の無地の表面材や装飾模様や着色などが施された表面材と裏打ち材とを接合した可撓性を有する２層積層体でなる。この壁紙を施工するときには、裏打ち材の裏面に接着糊を塗布してから下地面に貼付けられる。
【０００３】
先行例として、熱可塑性樹脂と常磁性体の金属粉とを所定の配合比率で含有するシートでなる壁紙が知られている（たとえば、特許文献１参照）。そして、この特許文献１によって提案されている壁紙は、マグネット式のホルダー、磁石付きクリップなどの磁性取り付け具をその表面に吸着させることができ、また、壁紙を通して額縁などを釘やねじで固定できるとされている。
【先行技術文献】
【特許文献】
【０００４】
【特許文献１】特開２０００−１１９９９８号公報
【考案の概要】
【考案が解決しようとする課題】
【０００５】
従来の汎用的な壁紙を施工した箇所では、小物入れやラックといった調度品などを取り付けるのに接着剤を使用する接合やネジ止め、釘止めなどを行う必要があり、そのようにすると、調度品を取り外した後に接着跡が残ったり、ねじ穴や釘穴などが残って見苦しくなる。この点に関して、先行例として掲げた特許文献１によって提案されている壁紙は、マグネット式のホルダー、磁石付きクリップなどの磁性取り付け具をその表面に吸着させることができるので、磁性取り付け具を取り外した後に、接着跡やねじ穴、釘穴などが残らないという利点がある。
【０００６】
しかしながら、特許文献１によって提案されている壁紙は、１層の熱可塑性樹脂シートで作られているので、壁紙の表面に紙の質感や、花柄、木目などの装飾模様を付与しようとすれば、熱可塑性樹脂シートの表面に印刷を施して紙の質感や、花柄、木目などの装飾模様を表現することが必要であり、仮にそのようにすることができたとしても、壁紙の表面に凹凸模様やシボ模様などの紙の質感を付与することには困難が伴い、しかも、壁紙自体が高価になることを避けられない。
【０００７】
本考案は以上の状況の下でなされたものであり、シート状の表面材や裏打ち材に、冒頭で説明した従来の壁紙と同様の材料を困難なく採用することが可能であり、しかも、施工方法や施工手順も従来の壁紙と同様に行うことができるものでありながら、小物入れやラックといった調度品などを取り付けるのに、接着剤を使用したり、ネジ止めや釘止めなどによる必要のない磁着型壁紙を提供することを目的とする。
【０００８】
また、本考案は、子供の遊びなどにも有益に用いることのできる磁着型壁紙を提供することを目的とする。
【課題を解決するための手段】
【０００９】
本考案に係る磁着型壁紙は、シート状の表面材及び裏打ち材と、それらの相互間に介在された着磁性を有する中間シート材と、が互いに接合された可撓性を有する３層積層体でなり、その３層積層体が切断可能で、かつ、上記裏打ち材が、壁面やボードなどでなる下地面に接着糊で接合されるようになっている。
【００１０】
また、本考案に係る磁着型壁紙において、上記中間シート材は、樹脂シート又はゴムシートのシート層中に着磁性を有する金属粉を含ませてなる。
【００１１】
この構成の磁着型壁紙を冒頭で説明した従来の汎用的な壁紙と対比すると、両者は表面側にシート状の表面材を有し、裏面側にシート状の裏打ち材を有する。そのため、本考案に係る壁紙を施工するときには、裏打ち材の裏面に接着糊を塗布してから下地面に貼付ければよい。また、本考案に係る壁紙では、シート状の表面材に、従来の壁紙の表面材と同様の材質、着色、柄模様などを同様に付与することができる。裏打ち材についても同様である。それにもかかわらず、中間シート材が着磁性を有しているので、小物入れやラックといった調度品などに具備させた磁石と中間シート材との磁着性を利用して、調度品などを接着剤やねじ、釘などを用いずに取り付けることができる。また、調度品などを取り外しても、その接着跡やねじ穴、釘穴などが残らない。
【００１２】
さらに、熊などの生き物をあしらった縫いぐるみに磁石を具備させておけば、その縫いぐるみを壁紙の表面に吸着させて保持させることができ、写真や絵画などでは、磁石付き押え具を用いて壁紙の表面に保持させることができる。
【考案の効果】
【００１３】
以上のように、本考案に係る磁着型壁紙によれば、従来の汎用的な壁紙と同様の方法又は手順で施工することが可能であり、また、表面の質感に従来の汎用的な壁紙と同様の質感を付与することが容易に可能である。それにもかかわらず、中間シート材が着磁性を利用して小物入れやラックといった調度品などを、接着剤やねじ、釘などを用いずに取り付けることができるので、調度品などを取り外しても、その接着跡やねじ穴、釘穴などが残らないという利点がある。
【図面の簡単な説明】
【００１４】
【図１】本考案の実施形態に係る磁着型壁紙の構成を示した説明図である。
【図２】同磁着型壁紙の積層構造を示した説明図である。
【図３】同磁着型壁紙の特性を示した説明図である。
【図４】同磁着型壁紙の使用状態説明図である。
【図５】同磁着型壁紙の他の使用状態説明図である。
【図６】（Ａ）（Ｂ）は同磁着型壁紙を相手方として使用可能な物品を例示した説明図である。
【考案を実施するための形態】
【００１５】
図１は本考案の実施形態に係る磁着型壁紙の構成を示した説明図、図２は同磁着型壁紙の積層構造を示した説明図、図３は同磁着型壁紙の特性を示した説明図である。また、図４は同磁着型壁紙の使用状態説明図、図５は同磁着型壁紙の他の使用状態説明図、図６（Ａ）（Ｂ）は同磁着型壁紙を相手方として使用可能な物品を例示した説明図である。
【００１６】
図１及び図２に示した磁着型壁紙Ａは、シート状の表面材１及び裏打ち材３と、それらの相互間に介在された着磁性を有する中間シート材２との可撓性を有する３層積層体でなる。表面材１と中間シート材２、中間シート材２と裏打ち材３とは、それぞれ接着剤で接合されている。シート状の表面材１には、冒頭で説明した従来の壁紙でも用いられていた表面材と同様の材質、たとえば、凹凸模様やシボ模様、着色処理などが施された紙、樹脂シートといった汎用的な壁紙に多用されている質感を持った材質が用いられている。シート状の裏打ち材３にも、従来の壁紙で用いられていた裏打ち材と同様の材質、たとえば紙が用いられる。そのため、この裏打ち材３の裏面に接着糊を塗布することにより、従来の壁紙と同様に下地面である壁面やボードなどに、従来と同様の方法及び手順で貼り付けることが可能である。中間シート材２は、樹脂シート又はゴムシートのシート層中に、一様な密度で、着磁性を有する金属粉を含ませてなる。金属粉としては、鉄粉やケイ素鋼、フェライト粉末などが使用されていて、これらは磁石（マグネット）が吸着する性質を備えている。樹脂シート又はゴムシートのシート層中に磁石が吸着する性質を備えた金属粉を含ませた中間シート材２は、鋏やカッターを用いて容易に切断可能である。したがって、シート状の表面材１及び裏打ち材３と中間シート材２との３層積層体は、下地面に対する貼付け箇所の形状に応じて、任意の形状に切断可能である。しかも、中間シート材２に付与されている磁石を吸着する性質を利用して、図３のように、表面材１の上から磁石１０を当該壁紙Ａに吸着させることができる。
【００１７】
以上説明した磁着型壁紙Ａは、図４のように室内壁面Ｗを下地面としてその上に接着糊で貼り付けることができ、そのようにすることによって、従来の壁紙と同様に室内壁面をリフォームすることが可能である。また、磁着型壁紙Ａは、図５のようにボードＢに接着糊で貼り付けることも可能である。
【００１８】
そして、図４又は図５のいずの場合であっても、磁着型壁紙Ａの上に多種多様な調度品などの物品を磁石の吸着性を利用して保持させことが可能である。図５には生き物の縫いぐるみ２１の背中部分に磁石を具備させておき、その磁石を磁着型壁紙Ａの上に吸着させた事例、写真や絵画、習字紙などの紙片２２を、磁着型壁紙Ａの上に吸着させた磁石付き押え具２３で挟み込んで保持させた事例を示してある。このような磁着型壁紙Ａの使用方法は、幼児や子供の遊びなどにも有益に応用することができる。
【００１９】
さらに、図６（Ａ）に例示したような磁石付き小物置き台２５の磁石２６を、磁着型壁紙Ａ（不図示）の上に吸着させたり、同図（Ｂ）に例示したような磁石付きラック２７の磁石２８を磁着型壁紙Ａ（不図示）の上に吸着させたりすることも可能である。
【００２０】
実施形態を参照して説明した磁着型壁紙Ａは、従来の汎用的な壁紙と同様の方法又は手順で施工することが可能であり、また、表面の質感に従来の汎用的な壁紙と同様の質感を付与することが容易に可能である。それにもかかわらず、中間シート材２の着磁性を利用して磁石付き押え具２３や小物入れやラックといった磁石付き調度品などを、接着剤やねじ、釘などを用いずに取り付けることができるので、それらを取り外しても、磁着型壁紙Ａの表面に接着跡やねじ穴、釘穴などが残らない。
【符号の説明】
【００２１】
Ａ  磁着型壁紙
１  表面材
２  中間シート材
３  裏打ち材
【図１】
0003170964.tif 000003
【図２】
0003170964.tif 000004
【図３】
0003170964.tif 000005
【図４】
0003170964.tif 000006
【図５】
0003170964.tif 000007
【図６】
0003170964.tif 000008